(57)【要約】【課題】壁高欄に対して大きな外力が負荷された場合においても強固な耐久性を発揮することが可能なプレキャスト壁高欄の設置構造を提供する。【解決手段】コンクリート床版２の側端部に沿って設置されるプレキャスト壁高欄１の設置構造において、コンクリート床版２は、側端部の上面からアンカーボルト３が上方に突出され、プレキャスト壁高欄１は、底面から開削されたボルト孔１１に対してアンカーボルト３が挿入されてなると共に経時硬化性材料５が充填され、少なくとも当該ボルト孔１１を囲むようにスパイラル鉄筋１４が埋め込まれていることを特徴とする。【選択図】図１
2018165467.tif 000002
【特許請求の範囲】
【請求項１】
コンクリート床版の側端部に沿って設置されるプレキャスト壁高欄の設置構造において、
上記コンクリート床版は、上記側端部の上面からアンカーボルトが上方に突出され、
上記プレキャスト壁高欄は、底面から開削されたボルト孔に対して上記アンカーボルトが挿入されてなると共に経時硬化性材料が充填され、少なくとも当該ボルト孔を囲むようにスパイラル鉄筋が埋め込まれていること
を特徴とするプレキャスト壁高欄の設置構造。
【請求項２】
上記コンクリート床版の上記側端部上面及び上記プレキャスト壁高欄の底面は、互いに水平せん断力を伝達するためのせん断キーが設けられていること
を特徴とする請求項１記載のプレキャスト壁高欄の設置構造。
【請求項３】
上記せん断キーは、上記コンクリート床版において橋幅方向断面視で中央部が凸状に隆起されるとともに、上記プレキャスト壁高欄において橋幅方向断面視で上記中央部が凹状に形成され、更に上記コンクリート床版の上面と上記プレキャスト壁高欄の底面の間には経時硬化性材料が充填されていること
を特徴とする請求項２記載のプレキャスト壁高欄の設置構造。
【請求項４】
上記コンクリート床版の上面と上記プレキャスト壁高欄の底面は、それぞれ橋幅方向外側に向けて下向きに傾斜してなること
を特徴とする請求項３記載のプレキャスト壁高欄の設置構造。
【請求項５】
上記プレキャスト壁高欄は、上記ボルト孔から外側面に向けて下向きに傾斜した孔が設けられていること
を特徴とする請求項１〜４のうち何れか１項記載のプレキャスト壁高欄の設置構造。
【請求項６】
上記プレキャスト壁高欄は、上記コンクリート床版の他の領域よりも凸状に隆起させたハンチ部の上に設置されていること
を特徴とする請求項１〜５のうち何れか１項記載のプレキャスト壁高欄の設置構造。
【発明の詳細な説明】
【技術分野】
【０００１】
本発明は、コンクリート床版の側端部に沿って設置されるプレキャスト壁高欄の設置構造に関するものである。
【背景技術】
【０００２】
従来より、道路橋における橋幅方向の側端部には、コンクリート製の壁高欄が設置されている。この壁高欄は、主として道路橋からの車両の転落防止、逸脱を防止すると共に、走行車両の運転者の視線誘導する役割を担う。この壁高欄は、現場において鉄筋及び型枠を組み立てる、いわゆる現場打ちコンクリートにより構築するのが一般的であった。特に走行車両の衝突等により壁高欄が破損したり、或いは壁高欄そのものが老朽化した場合においても、同様に現場打ちコンクリートにより補修又は取替をすることが多かった。
【０００３】
しかしながら、この現場打ちでは工期が長くなるため、近年では、予め工場等で製造されたプレキャスト製の壁高欄を現地に搬入し、コンクリート床版の側端部に沿って設置することで壁高欄を構築することが頻繁に行われるようになっている。
【０００４】
従来におけるプレキャスト壁高欄の設置方法として、例えば特許文献１に記載の技術が開示されている。この特許文献１の開示技術は、鉄筋コンクリート製の壁高欄の底部から貫通孔が形成されており、当該貫通孔には、床版から上方に突出されたアンカ筋が挿入された上でモルタルが注入されている。
【０００５】
また、特許文献２においても、プレキャストコンクリート部材とされたコンクリート壁高欄の下端部にボルト挿通孔を形成させてなり、当該ボルト挿通孔に対して、床版から上方に突出させたアンカーボルトを挿入させる構成が開示されており、当該ボルト挿通孔に対してモルタルを充填する技術が開示されている。
【０００６】
特許文献１、２の開示技術は、アンカーボルト等に対してモルタルを強固に付着させることにより、コンクリート壁高欄を床版に対して安定的に接合することを期待したものである。
【０００７】
しかしながら、これら特許文献１、２の開示技術によれば、プレキャスト壁高欄が劣化した状態で、かつ車両の衝突等による外力が加わった場合、アンカーボルトが付着されているモルタルから簡単に引き抜けてしまう場合もある。またこのような外力が加わった場合には、アンカーボルトが付着されているモルタルごと引き抜けてしまう場合もあり、更にはモルタルに付着している壁高欄のコンクリートの一部が割裂して一緒に引きぬけてしまう場合もある。即ち、これら特許文献１、２の開示技術のみからでは、壁高欄に負荷される外力に対する耐久性を向上させることができないという問題点があった。
【０００８】
このため、特許文献３には、プレキャスト壁材が水平方向の外圧を受けたときに、その外圧を床版の側端部に伝達させることで、せん断応力に基づく破断が生じることを回避するためにせん断キーを設けた構成も開示されている。
【０００９】
しかしながら、このようなせん断キーを仮に設けた場合においても、これのみでは大きな外力が壁高欄に負荷された場合において、必ずしも所期の耐久性を発揮することができるとはいえなかった。
【先行技術文献】
【特許文献】
【００１０】
【特許文献１】特開２００１−２２６９１２号公報
【特許文献２】特開２０１５−７１９０７号公報
【特許文献３】特開２０１６−１６０６９０号公報
【発明の概要】
【発明が解決しようとする課題】
【００１１】
そこで本発明は、上述した問題点に鑑みて案出されたものであり、その目的とするところは、コンクリート床版の側端部に沿って設置されるプレキャスト壁高欄の設置構造において、特に壁高欄に対して大きな外力が負荷された場合においても強固な耐久性を発揮することが可能なプレキャスト壁高欄の設置構造を提供することにある。
【課題を解決するための手段】
【００１２】
第１発明に係るプレキャスト壁高欄の設置構造は、コンクリート床版の側端部に沿って設置されるプレキャスト壁高欄の設置構造において、上記コンクリート床版は、上記側端部の上面からアンカーボルトが上方に突出され、上記プレキャスト壁高欄は、底面から開削されたボルト孔に対して上記アンカーボルトが挿入されてなると共に経時硬化性材料が充填され、少なくとも当該ボルト孔を囲むようにスパイラル鉄筋が埋め込まれていることを特徴とする。
【００１３】
第２発明に係るプレキャスト壁高欄の設置構造は、第１発明において、上記コンクリート床版の上記側端部上面及び上記プレキャスト壁高欄の底面は、互いに水平せん断力を伝達するためのせん断キーが設けられていることを特徴とする。
【００１４】
第３発明に係るプレキャスト壁高欄の設置構造は、第２発明において、上記せん断キーは、上記コンクリート床版において橋幅方向断面視で中央部が凸状に隆起されるとともに、上記プレキャスト壁高欄において橋幅方向断面視で上記中央部が凹状に形成され、更に上記コンクリート床版の上面と上記プレキャスト壁高欄の底面の間には経時硬化性材料が充填されていることを特徴とする。
【００１５】
第４発明に係るプレキャスト壁高欄の設置構造は、第３発明において、上記コンクリート床版の上面と上記プレキャスト壁高欄の底面は、それぞれ橋幅方向外側に向けて下向きに傾斜してなることを特徴とする。
【００１６】
第５発明に係るプレキャスト壁高欄の設置構造は、第１発明〜第４発明の何れかにおいて、上記プレキャスト壁高欄は、上記ボルト孔から外側面に向けて下向きに傾斜した孔が設けられていることを特徴とする。
【００１７】
第６発明に係るプレキャスト壁高欄の設置構造は、第１発明〜第５発明の何れかにおいて、上記プレキャスト壁高欄は、上記コンクリート床版の他の領域よりも凸状に隆起させたハンチ部の上に設置されていることを特徴とする。
【発明の効果】
【００１８】
上述した構成からなる本発明によれば、コンクリート床版の側端部に設置されたプレキャスト壁高欄に対して、例えば車両の衝突により道路側面から外側に向けた略水平方向の外力が負荷される場合において、顕著な効果を発揮する。即ち、外力が負荷されることによりプレキャスト壁高欄１が外側に傾いたときにアンカーボルトが引き抜けようとする力が作用することとなるが、この力に対してアンカーボルトに対する経時硬化性材料の強固な付着力を介して対抗することができる。特にアンカーボルトの上端は、より径大な丸ナットが設けられていることから、これが経時硬化性材料に係止されることによる引き抜け防止効果を発揮することができる。
【００１９】
このときアンカーボルトを上端から下端に至るまでネジ又は細かい凹凸を形成させておくことにより、経時硬化性材料への付着力を高めることができ、アンカーボルトの引き抜け防止効果を増強させることができる。同様にボルト孔の内周面には細かい凹凸等が形成されていることにより、経時硬化性材料への付着力を高めることができる。その結果、経時硬化性材料がアンカーボルトと共にボルト孔から引き抜けてしまうのを防止することができる。
【００２０】
更に本発明によれば、このボルト孔を取り囲むようにスパイラル鉄筋が埋め込まれている。仮にアンカーボルトが引き抜けようとする力が作用したときに、スパイラル鉄筋を介してボルト孔に対して作用している内向きの拘束力を介して対抗することが可能となる。
【００２１】
これに加えて、経時硬化性材料に付着しているプレキャスト壁高欄を構成するコンクリートの一部が割裂して一緒に引き抜けるように作用する場合もあるが、スパイラル鉄筋を介して内向きの拘束力が発揮されていることにより、このようなコンクリートの割裂自体を抑制することが可能となる。
【図面の簡単な説明】
【００２２】
【図１】本発明を適用したプレキャスト壁高欄及びこれが設置されるコンクリート床版の斜視図である。
【図２】本発明を適用したプレキャスト壁高欄及びこれが設置されるコンクリート床版の正断面図である。
【図３】本発明を適用したプレキャスト壁高欄及びこれが設置されるコンクリート床版の側断面図である。
【図４】本発明を適用したプレキャスト壁高欄の設置方法について説明するための図である。
【図５】本発明を適用したプレキャスト壁高欄の他の実施形態について説明するための図である。
【図６】実験的検証を行うための引張試験システムの構成図である。
【図７】実験的検証を行うための試験用の棒鋼について説明するための図である。
【図８】引張試験システムによる実験的検証の結果について示す図である。
【発明を実施するための形態】
【００２３】
以下、本発明を適用したプレキャスト壁高欄の設置構造を実施するための形態について図面を参照しながら詳細に説明をする。
【００２４】
図１は、本発明を適用したプレキャスト壁高欄１及びこれが設置されるコンクリート床版２の斜視図であり、図２は、その正断面図であり、図３はその側断面図である。プレキャスト壁高欄１は、コンクリート床版２の橋幅方向の側端部に沿って配置される。このプレキャスト壁高欄１は、コンクリート床版２の橋軸方向に向けて延長されている。
【００２５】
プレキャスト壁高欄１は、長手方向が上下方向とされた長形形状とされており、内部に鉄筋２１、２２が埋設されたいわゆる鉄筋コンクリート製で構成されている。このうち鉄筋２２は、橋軸方向に向けて直線状に延長されてなる複数本で構成されている。また鉄筋２１は、これら鉄筋２２を内接させるように上下方向に延長されてなると共に上下端は円弧状に折り曲げられてなる。プレキャスト壁高欄１の側面は、道路側に向いている道路側面１ａと、道路橋の外部側に向いている外側面１ｂとからなる。
【００２６】
このような鉄筋コンクリート製のプレキャスト壁高欄１は、更にボルト孔１１と、このボルト孔１１に通じる孔１２、孔１３と、ボルト孔１１の周囲に埋設されているスパイラル鉄筋１４と、鉄筋２１により囲まれる領域内に設けられたケーブル１７とを備えている。また、このプレキャスト壁高欄１の底面は、上方に向けて凹状に凹ませた凹部１８と、凹部１８から道路側面１ａに向けて延長されている第１底部１９ａと、凹部１８から外側面１ｂに向けて延長されている第２底部１９ｂとを有する。
【００２７】
コンクリート床版２は、アンカーボルト３と、アンカーボルト３の周囲に埋設されているスパイラル鉄筋２４とを備えている。コンクリート床版２における橋幅方向の側端部上面には、上方に向けて凸状に凸設させた凸部２８と、凸部２８から道路側面１ａに向けて延長されている第１上部２９ａと、凸部２８から外側面１ｂに向けて延長されている第２上部２９ｂとを有する。
【００２８】
ボルト孔１１は、プレキャスト壁高欄１の底面から開削された孔部として構成されている。このボルト孔１１は、アンカーボルトの外径よりも径大となるように構成されている。ボルト孔１１は、上方に向かうにつれて拡径された形状とされ、いわば円錐台又は角錐台の如き立体形状とされているが、これに限定されるものではない。即ち、ボルト孔１１は、上下方向に向かうにつれて拡径、縮径の無い円柱状又は直方体状とされていてもよいし、規則的又は不規則な拡径又は縮径が施されていてもよい。更にこのボルト孔１１の内周面には細かい凹凸等が形成されていてもよい。なお、図１に示すボルト孔１１は、あくまで凹部１８から上方に向けて開削された孔として構成されているが、あえて凹部１８を設けない構成においては、プレキャスト壁高欄１における底部のいかなる箇所に設けられていてもよい。
【００２９】
孔１２は、プレキャスト壁高欄１における外側面１ｂと、ボルト孔１１とを連結するための孔である。この孔１２は、ボルト孔１１におけるより上方に連続する孔であり、無収縮モルタル等を始めとした経時硬化性材料をボルト孔１１から排出するために設けられている。この孔１２は、ボルト孔１１から外側面１ｂ、或いは道路側面１ａに向けて下向きに傾斜させるようにしてもよい。
【００３０】
孔１３は、プレキャスト壁高欄１における外側面１ｂと、ボルト孔１１とを連結するための孔である。この孔１３は、ボルト孔１１におけるより下方に連続し、無収縮モルタル等を始めとした経時硬化性材料をボルト孔１１内に注入するために設けられている。この孔１３は、ボルト孔１１から道路側面１ａ、或いは外側面１ｂに向けて下向きに傾斜させるようにしてもよい。
【００３１】
スパイラル鉄筋１４は、予めスパイラル状に折り曲げられた鉄筋である。このスパイラル鉄筋１４は、ボルト孔１１の外周側から当該ボルト孔１１を取り囲むようにして配置されている。スパイラル鉄筋１４は、このプレキャスト壁高欄１を構成するコンクリートの中に予め埋め込まれている。
【００３２】
ケーブル１７は、互いに橋軸方向に隣接するプレキャスト壁高欄１を連結する上で使用されるケーブルである。このケーブル１７は、具体的には炭素繊維ケーブル、ＰＣ鋼材、ステンレス鋼材、鋼鉄製ケーブル等の各種ケーブルとして具現化される。各プレキャスト壁高欄１に対してそれぞれこのケーブル１７を挿通するための図示しないケーブル孔が穿設されている。隣接するプレキャスト壁高欄１を接合する際には、この図示しないケーブル穴に対してケーブル１７を挿通させ、必要に応じてこれに緊張力を付与することで実現するようにしてもよい。
【００３３】
凹部１８は、図３に示すように橋軸方向に向けて間隔をおいてボルト孔１１が上面に設けられている。第１底部１９ａは、道路側面１ａに向けて、下向きに傾斜してなる。第２底部１９ｂは、外側面１ｂに向けて、下向きに傾斜してなる。換言すれば第１底部１９ａ及び第２底部１９ｂは、橋幅方向外側に向けて下向きに傾斜している。
【００３４】
アンカーボルト３は、少なくとも上下端においてネジが形成された棒鋼に、丸ナット３１を上下から螺着させることにより構成されている。このような丸ナット３１をアンカーボルト３の上下に螺着させておくことにより、アンカーボルト３自身の引き抜けようとする力に対して対抗することが可能となる。アンカーボルト３の形態は、上述した例に限定されるものではなく、少なくとも上下端のみが径大となるように形成された金属性の棒体であればいかなるものに代替されるものであってもよい。例えば、鉄筋の上下端に径大のバンドを圧着させたエンドバンド鉄筋を使用するようにしてもよい。
【００３５】
アンカーボルト３のほぼ下半分は、コンクリート床版２を構成するコンクリート内に埋め込まれて構成されている。その結果、アンカーボルト３の上半分は、コンクリート床版２の上面から上方に向けて突出された状態となる。この突出されたアンカーボルト３の上半分は、ボルト孔１１に挿入された状態となる。ボルト孔１１はアンカーボルト３よりも径大であることから、アンカーボルト３は、ボルト孔１１に対していわば遊嵌状態となっている。このような遊嵌状態のアンカーボルト３が挿入されているボルト孔１１には、無収縮モルタル等の経時硬化性材料が充填されている。
【００３６】
スパイラル鉄筋２４は、スパイラル鉄筋１４と同様に、予めスパイラル状に折り曲げられた鉄筋である。このスパイラル鉄筋２４は、ボルト孔１１の外周側からアンカーボルト３を取り囲むようにして配置されている。スパイラル鉄筋２４は、コンクリート床版２の中に予め埋め込まれている。
【００３７】
凸部２８は、図２に示すように橋幅方向の位置が凹部１８と整合するように設けられている。第１上部２９ａは、道路側面１ａに向けて、下向きに傾斜してなる。第２底部１９ｂは、外側面１ｂに向けて、下向きに傾斜してなる。換言すれば第１上部２９ａ及び第２上部２９ｂは、橋幅方向外側に向けて下向きに傾斜している。
【００３８】
実際にコンクリート床版２の側端部にプレキャスト壁高欄１を設置する上では、凸部２８を凹部１８に対面させ、第１上部２９ａを第１底部１９ａに対面させ、更に第２上部２９ｂを第２底部１９ｂに対面させた上で、これらの間に無収縮モルタル又は樹脂モルタル等の経時硬化性材料を充填させる。
【００３９】
次に本発明を適用したプレキャスト壁高欄１の設置方法について説明をする。
【００４０】
先ず図４（ａ）に示すようにコンクリート床版２の施工が完了している状態からスタートする。この状態では、アンカーボルト３の上半分がコンクリート床版２の上面から上方に向けて突出されている状態となっている。
【００４１】
次に工場において予め製作したプレキャスト壁高欄１を現地に搬入する。そして図４（ｂ）に示すように、凸部２８を凹部１８に対面させ、第１上部２９ａを第１底部１９ａに対面させ、更に第２上部２９ｂを第２底部１９ｂに対面させつつ、これらを互いに離間した状態で仮保持する。
【００４２】
次に図４（ｃ）に示すように孔１３から経時硬化性材料５を注入する。この経時硬化性材料５は、ホース９１を介して、この孔１３に注入される。孔１３から注入された経時硬化性材料５はボルト孔１１に到達し、これに挿入されているアンカーボルト３を埋めるようにして充填されることとなる。この充填した経時硬化性材料５が硬化し、アンカーボルト３と強固に付着すると共にボルト孔１１にも強固に付着することとなる。その結果、この硬化した経時硬化性材料５を介してボルト孔１１とアンカーボルト３とが互いに強固に連結されることとなり、ひいてはプレキャスト壁高欄１をコンクリート床版２に対して強固に設置することが可能となる。なお、経時硬化性材料５は、第１上部２９ａと第１底部１９ａとの間から注入される場合もある。
【００４３】
またこのボルト孔１１に到達した経時硬化性材料５は、そのままプレキャスト壁高欄１の底面を構成する凹部１８、第１底部１９ａ、第２底部１９ｂと、コンクリート床版２の上面を構成する凸部２８、第１上部２９ａ、第２上部２９ｂとの間にも流れていく。その結果、このプレキャスト壁高欄１の底面と、コンクリート床版２の上面との間にも経時硬化性材料５が充填され、この経時硬化性材料５が硬化することでこれらが互いに強固に接合されることとなる。
【００４４】
ちなみに、コンクリート床版２の上面に経時硬化性材料５を予め敷設した上からプレキャスト壁高欄１を載置し、その上で孔１２から経時硬化性材料５を注入することでボルト孔１１内をこの経時硬化性材料５により充填するようにしてもよい。
【００４５】
このようにしてコンクリート床版２の側端部に設置されたプレキャスト壁高欄１に対して、例えば車両の衝突により道路側面１ａから外側に向けた略水平方向の外力が負荷される場合を考える。かかる場合には、プレキャスト壁高欄１が外側に傾いたときにアンカーボルト３が引き抜けようとする力が作用することとなるが、この力に対してアンカーボルト３に対する経時硬化性材料５の強固な付着力を介して対抗することができる。特にアンカーボルト３の上端は、より径大な丸ナット３１が設けられていることから、これが経時硬化性材料５に係止されることによる引き抜け防止効果を発揮することができる。
【００４６】
このときアンカーボルト３を上端から下端に至るまでネジ又は細かい凹凸を形成させておくことにより、経時硬化性材料５への付着力を高めることができ、アンカーボルト３の引き抜け防止硬化を増強させることができる。同様にボルト孔１１の内周面には細かい凹凸等が形成されていることにより、経時硬化性材料５への付着力を高めることができる。その結果、経時硬化性材料５がアンカーボルト３と共にボルト孔１１から引き抜けてしまうのを防止することができる。
【００４７】
更に本発明によれば、このボルト孔１１を取り囲むようにスパイラル鉄筋１４が埋め込まれている。仮にアンカーボルト３が引き抜けようとする力が作用したときに、スパイラル鉄筋１４を介してボルト孔１１に対して作用している内向きの拘束力を介して対抗することが可能となる。
【００４８】
これに加えて、経時硬化性材料５に付着しているプレキャスト壁高欄１を構成するコンクリートの一部が割裂して一緒に引き抜けるように作用する場合もあるが、スパイラル鉄筋１４を介して内向きの拘束力が発揮されていることにより、このようなコンクリートの割裂自体を抑制することが可能となる。
【００４９】
また本発明においては、コンクリート床版２も同様にスパイラル鉄筋２４がアンカーボルト３の周囲に設けられていることで、アンカーボルト３が引き抜けようとする力に対抗することができ、さらにはアンカーボルト３の周囲にあるコンクリートの一部が割裂することで一緒に引き抜けてしまうことを強固に防止することができる。
【００５０】
更に本発明を適用したプレキャスト壁高欄１の設置構造では、凸部２８を凹部１８に対面させ、第１上部２９ａを第１底部１９ａに対面させ、更に第２上部２９ｂを第２底部１９ｂに対面させた上で、これらの間に無収縮モルタル等の経時硬化性材料を充填させてなる。その結果、水平方向の外力が加わった場合に、これら対面している凸部２８と凹部１８とがいわゆるせん断応力に対抗しえるせん断キーとして作用させることが可能となる。即ち、道路側面１ａから外側に向けた外力が加わった場合に凹部１８と凸部２８との間にせん断力が作用することにある。この凸部２８が凹部１８内に入り込んでいることにより、このせん断力に対して対抗することができる。
【００５１】
また本発明によれば、孔１２を外側面１ｂに向けて下向きに傾斜させるようにし、また孔１３を道路側面１ａ及び外側面１ｂに向けて下向きに傾斜させるようにすることにより、外部から水分や塩分等の腐食因子が浸入しにくい構造とすることが可能となる。即ち、外部から侵入しようとする腐食因子にとっては、孔１２や孔１３がボルト孔１１に向けて上向きに傾斜していることから、ボルト孔１１に到達前にほぼ浸入が食い止められることとなる。その結果、ボルト孔１１には腐食因子がほぼ入り込まないことから、内部に挿入されるアンカーボルト３が腐食してしまうのを防止することが可能となる。
【００５２】
図５は、本発明を適用したプレキャスト壁高欄１の他の実施形態を示している。この形態では、コンクリート床版２の上面を構成する凸部２８、第１上部２９ａ、第２上部２９ｂについては、他の領域よりも凸状に隆起させた、いわゆるハンチ部２０として構成した例である。このようなハンチ部２０を構成することにより、特に腐食因子が孔１３から浸入することをより強固に防止することが可能となる。
【実施例１】
【００５３】
以下、本発明を適用したプレキャスト壁高欄１の作用効果を検証する上で行った実験について説明をする。図６は、実験的検証を行うための引張試験システム６を示している。この引張試験システム６では、ロードセル６１が設けられた油圧ジャッキ６２と、Ｈ形鋼で構成される載荷ビーム６３と、コンクリート供試体６４と、このコンクリート供試体６４に形成されたボルト孔６５とを備えており、ボルト孔６５には挿入された試験用の棒鋼７０が挿入された上で、無収縮モルタル７１が充填されている。また、この棒鋼７０には変位計７２が取り付けられている。この変位計７２は、試験前はコンクリート供試体６４の天端にセットされており、無負荷時において変位が０となるように設定されている。
【００５４】
載荷ビーム６３と、コンクリート供試体６４との間には反力用コマ７３が設けられている。即ち、この引張試験システム６では、本発明におけるボルト孔１１にアンカーボルト３を挿入して経時硬化性材料５を充填した形態におけるアンカーボルト３が引き抜ける荷重を見積もることが可能となる。
【００５５】
このような引張試験システム６において油圧ジャッキ６２を介して棒鋼７０に対して引張応力を加えると、当該応力はロードセル６１を介して計測されると共に、棒鋼７０の変位については変位計７２を介して検知することが可能となる。
【００５６】
本実施例では、試験用の棒鋼７０につき、図７に示すようなステンレス製の棒鋼の端部にネジ部を形成させ、これに丸ねじを螺着した試験体Ａと、連続的に節が形成された棒鋼の端部にエンドバンドを形成させたエンドバンド鉄筋からなる試験体Ｂと、端部に何も設けない棒鋼からなる試験体Ｃについて実験した。
【００５７】
実験結果を図８に示す。各グラフにおいて横軸は、コンクリート供試体６４の天端からの相対変位であり、棒鋼７０の変位量を示している。また縦軸はロードセル６１により計測した荷重である。それぞれについて計算した設計引張力と、降伏引張力をグラフ中に併記している。
【００５８】
試験体Ａは、設計引張力を超え、降伏引張力（１０５．６ｋＮ）に至るまで耐久性を維持することができることが示されていた。試験体Ｂは、設計引張力を超え、降伏引張力（９８．８ｋＮ）に至るまで耐久性を維持することができることが示されていた。
【００５９】
これに対して試験体Ｃは、１４．２ｋＮの荷重を負荷した場合に降伏してしまい、設計引張力さえも満足できる耐久性を示すことができなかった。
【００６０】
以上の実験結果より、棒鋼７０の端部は少なくとも径大化されていることにより、引っ張り応力に対する耐久性を示すことができることが分かった。
【符号の説明】
【００６１】
１  プレキャスト壁高欄
１ａ  道路側面
１ｂ  外側面
２  コンクリート床版
３  アンカーボルト
５  経時硬化性材料
６  引張試験システム
１１  ボルト孔
１２、１３  孔
１４  スパイラル鉄筋
１７  ケーブル
１８  凹部
２０  ハンチ部
２１、２２  鉄筋
２４  スパイラル鉄筋
２８  凸部
３１  丸ナット
６１  ロードセル
６２  油圧ジャッキ
６３  載荷ビーム
６４  コンクリート供試体
６５  ボルト孔
７０  棒鋼
７１  無収縮モルタル
７２  変位計
７３  反力用コマ
【図１】
2018165467.tif 000003
【図２】
2018165467.tif 000004
【図３】
2018165467.tif 000005
【図４】
2018165467.tif 000006
【図５】
2018165467.tif 000007
【図６】
2018165467.tif 000008
【図７】
2018165467.tif 000009
【図８】
2018165467.tif 000010